(57)【要約】【課題】例えば風等の影響による圧力の変動を低減することができる圧力センサー付きデバイスを提供すること。【解決手段】圧力センサー付きデバイスは、圧力センサーと、前記圧力センサーを収容している収容空間を有する筐体と、前記筐体の外面に設けられた第１開口を有し、前記筐体の外部と前記収容空間とを繋ぐ第１流路と、前記筐体の外面に設けられた第２開口を有し、前記筐体の外部と前記収容空間とを繋ぐ第２流路と、を有し、前記第１開口と前記第２開口とは、前記筐体の中心を介して反対側に設けられていることを特徴とする。【選択図】図３
2017173016.tif 000002
【特許請求の範囲】
【請求項１】
圧力センサーと、
前記圧力センサーを収容している収容空間を有する筐体と、
前記筐体の外面に設けられた第１開口を有し、前記筐体の外部と前記収容空間とを繋ぐ第１流路と、
前記筐体の外面に設けられた第２開口を有し、前記筐体の外部と前記収容空間とを繋ぐ第２流路と、を有し、
前記第１開口と前記第２開口とは、前記筐体の中心を介して反対側に設けられていることを特徴とする圧力センサー付きデバイス。
【請求項２】
前記第１流路における流体の圧力損失と前記第２流路における前記流体の圧力損失とは等しい請求項１に記載の圧力センサー付きデバイス。
【請求項３】
前記収容空間は、前記筐体の中心からずれた位置に設けられている請求項１または２に記載の圧力センサー付きデバイス。
【請求項４】
前記第１流路および前記第２流路の少なくとも一方は、前記筐体の外面に沿った部分を有する請求項１ないし３のいずれか１項に記載の圧力センサー付きデバイス。
【請求項５】
前記第１流路の長さは、前記第２流路の長さよりも長く、
前記第１流路の幅は、前記第２流路の幅よりも大きい請求項１ないし４のいずれか１項に記載の圧力センサー付きデバイス。
【請求項６】
前記筐体は、対称平面を有し、対称形状に構成されており、
前記第１開口および前記第２開口は、それぞれ、前記対称平面からずれた位置に設けられている請求項１ないし５のいずれか１項に記載の圧力センサー付きデバイス。
【請求項７】
さらに、前記筐体の外面に設けられた第３開口を有し、前記筐体の外部と前記収容空間とを繋ぐ第３流路と、
前記筐体の外面に設けられた第４開口を有し、前記筐体の外部と前記収容空間とを繋ぐ第４流路と、を有する請求項１ないし６のいずれか１項に記載の圧力センサー付きデバイス。
【請求項８】
前記筐体の中心を通る第１平面と、前記筐体の中心を通り、前記第１平面と交差した第２平面とにより分割される４つの領域を規定したとき、
前記第１開口、前記第２開口、前記第３開口および前記第４開口は、それぞれ異なる前記領域内に設けられている請求項７に記載の圧力センサー付きデバイス。
【請求項９】
前記筐体に設けられ、時刻情報を表示する表示部を有する請求項１ないし８のいずれか１項に記載の圧力センサー付きデバイス。
【発明の詳細な説明】
【技術分野】
【０００１】
本発明は、圧力センサー付きデバイスに関するものである。
【背景技術】
【０００２】
従来から、圧力センサーを備えたセンサー付き腕時計が知られている。このセンサー付き腕時計は、例えば、圧力センサーによって気圧を測定し、測定した気圧に基づいて高度を求める機能を有し、時間とともに高度を知ることができる。そのため、圧力センサーを備えた腕時計は、例えば、登山やトレイルランニング等において利用されている。また、センサー付き腕時計は、例えば、圧力センサーによって水圧を測定し、この水圧に基づいて水深値を求める構成とすることで、例えばダイビング等においても利用されている。
【０００３】
このようなセンサー付き腕時計の一例として、例えば特許文献１に、外装ケースと、外装ケース内に設けられ、圧力を検出するセンサーユニットと、センサーユニットに外気を導く圧力導入路と、を有するセンサー付き電子機器が開示されている。この特許文献１に係るセンサー付き電子機器では、圧力導入路によって外気をセンサーユニットへと導き、センサーユニットによって気圧を測定している。
【先行技術文献】
【特許文献】
【０００４】
【特許文献１】特開２０１１−１９１２１３号公報
【発明の概要】
【発明が解決しようとする課題】
【０００５】
しかし、特許文献１のような構成のセンサー付き電子機器では、センサーユニットに外気を導く圧力導入路が１つであるため、圧力導入路に風が侵入すると、センサーユニット内における空気の逃げ場がなく、よって、風の影響によりセンサーユニットの内圧が上がってしまう。その結果、このような従来のセンサー付き電子機器では、風の影響により検出する圧力が変動してしまうという問題があった。
【０００６】
本発明の目的は、例えば風等の影響による圧力の変動を低減することができる圧力センサー付きデバイスを提供することにある。
【課題を解決するための手段】
【０００７】
本発明は、上述の課題の少なくとも一部を解決するためになされたものであり、以下の本発明により実現することが可能である。
【０００８】
本発明の圧力センサー付きデバイスは、圧力センサーと、
前記圧力センサーを収容している収容空間を有する筐体と、
前記筐体の外面に設けられた第１開口を有し、前記筐体の外部と前記収容空間とを繋ぐ第１流路と、
前記筐体の外面に設けられた第２開口を有し、前記筐体の外部と前記収容空間とを繋ぐ第２流路と、を有し、
前記第１開口と前記第２開口とは、前記筐体の中心を介して反対側に設けられていることを特徴とする。
このような本発明の圧力センサー付きデバイス（以下、単に「デバイス」ともいう）によれば、例えば、第１開口付近に風等が当たることで、第１開口付近の圧力が高くなり、第２開口付近の圧力が第１開口付近の圧力よりも低くなったとき、第１開口から第１流路および第２流路を通って第２開口から風を通すことができる。このようにして、筐体の内部に入った風を筐体の外部に通すことができ、空気の淀みを低減できることで、風の影響による圧力の変動を低減することができる。なお、第２開口付近に風が当たった場合にも、第２開口から第２流路および第１流路を通って第１開口に風を通すことができることで、上記と同様の効果を発揮することができる。
【０００９】
本発明の圧力センサー付きデバイスでは、前記第１流路における流体の圧力損失と前記第２流路における前記流体の圧力損失とは等しいことが好ましい。
これにより、収容空間を、風の影響を特に受けにくい領域とすることができ、よって、風の影響による圧力の変動を効果的に低減することができる。
【００１０】
本発明の圧力センサー付きデバイスでは、前記収容空間は、前記筐体の中心からずれた位置に設けられていることが好ましい。
これにより、例えばデバイスが各種部品を有する場合、その部品の配置の自由度を高めることができる。
【００１１】
本発明の圧力センサー付きデバイスでは、前記第１流路および前記第２流路の少なくとも一方は、前記筐体の外面に沿った部分を有することが好ましい。
これにより、例えばデバイスが各種部品を有する場合、その部品の配置の自由度を高めることができる。
【００１２】
本発明の圧力センサー付きデバイスでは、前記第１流路の長さは、前記第２流路の長さよりも長く、
前記第１流路の幅は、前記第２流路の幅よりも大きいことが好ましい。
これにより、第１流路における圧力損失と第２流路における圧力損失との差を小さくでき、風の影響による圧力の変動を低減することができるとともに、第１流路、第２流路および収容空間の配置の自由度を高めることができる。
【００１３】
本発明の圧力センサー付きデバイスでは、前記筐体は、対称平面を有し、対称形状に構成されており、
前記第１開口および前記第２開口は、それぞれ、前記対称平面からずれた位置に設けられていることが好ましい。
これにより、第１開口から第２開口に風を通す作用を高めることができ、風の影響による圧力の変動をより効果的に低減することができる。
【００１４】
本発明の圧力センサー付きデバイスでは、さらに、前記筐体の外面に設けられた第３開口を有し、前記筐体の外部と前記収容空間とを繋ぐ第３流路と、
前記筐体の外面に設けられた第４開口を有し、前記筐体の外部と前記収容空間とを繋ぐ第４流路と、を有することが好ましい。
これにより、第１開口と第２開口との間に風を通すことに加え、第３開口と第４開口との間に風を通すことができる。また、例えば、第１開口から入った風を第２開口、第３開口および第４開口へと通すことができる。それゆえ、デバイスに対して風が当たっても、いずれかの開口から筐体の内部に入った風をいずれかの開口から筐体の外部へと通すことができるため、２つの流路である第１流路および第２流路を有する構成に比べ、風の影響による圧力の変動を効果的に低減することができる。
【００１５】
本発明の圧力センサー付きデバイスでは、前記筐体の中心を通る第１平面と、前記筐体の中心を通り、前記第１平面と交差した第２平面とにより分割される４つの領域を規定したとき、
前記第１開口、前記第２開口、前記第３開口および前記第４開口は、それぞれ異なる前記領域内に設けられていることが好ましい。
これにより、デバイスに対して様々な方向から風が当たっても、いずれかの開口から筐体の内部に入った風をいずれかの開口から筐体の外部へと通すことができる。そのため、風の当たる方向によらず、風の影響による圧力の変動を効果的に低減することができる。
【００１６】
本発明の圧力センサー付きデバイスでは、前記筐体に設けられ、時刻情報を表示する表示部を有することが好ましい。
これにより、本発明のデバイスを時刻とともに圧力に関する情報を知ることができる圧力センサー付き時計として用いることができる。時計は、例えば、使用者の腕に装着して用いられ、使用者が腕を振ることにより風の影響を受けやすい。そのため、本発明の圧力センサー付きデバイスを、風の影響を特に受けやすい圧力センサー付き時計として用いることは、より正確な圧力を測定する上で特に有効である。
【図面の簡単な説明】
【００１７】
【図１】本発明の第１実施形態に係る圧力センサー付きデバイスの一例である腕時計を正面側から見た斜視図である。
【図２】図１に示す腕時計を裏面側から見た斜視図である。
【図３】図１に示す腕時計の概略断面図である。
【図４】図１に示す腕時計が有する内側空間を示す概略平面図である。
【図５】図１に示す腕時計が有する収容空間およびセンサーユニットを示す概略断面図である。
【図６】図１に示す腕時計が風を受けたときの圧力の分布を示す図である。
【図７】図１に示す腕時計が風を受けたときの圧力の分布を示す図である。
【図８】図１に示す腕時計が有するカバー部材およびセンサーユニットにおける圧力を示す図である。
【図９】図１に示す腕時計を示す概略側面図である。
【図１０】図１に示す腕時計を示す概略側面図である。
【図１１】図１に示す腕時計を示す概略上面図である。
【図１２】本発明の第２実施形態に係る圧力センサー付きデバイスの一例である腕時計の概略平面図である。
【図１３】図１２に示す腕時計が風を受けたときのセンサーユニットにおける圧力を示す図である。
【図１４】本発明の第３実施形態に係る圧力センサー付きデバイスの一例である腕時計の概略平面図である。
【図１５】図１４に示す腕時計が風を受けたときのセンサーユニットにおける圧力を示す図である。
【図１６】本発明の第４実施形態に係る圧力センサー付きデバイスの一例である腕時計の概略平面図である。
【図１７】図１６に示す腕時計が風を受けたときのセンサーユニットにおける圧力を示す図である。
【図１８】本発明の第５実施形態に係る圧力センサー付きデバイスの一例である腕時計の概略平面図である。
【図１９】図１８に示す腕時計が風を受けたときのセンサーユニットにおける圧力を示す図である。
【発明を実施するための形態】
【００１８】
以下、本発明の圧力センサー付きデバイスを添付図面に示す好適な実施形態に基づいて詳細に説明する。
【００１９】
≪圧力センサー付きデバイス≫
＜第１実施形態＞
図１は、本発明の第１実施形態に係る圧力センサー付きデバイスの一例である腕時計を正面側から見た斜視図である。図２は、図１に示す腕時計を裏面側から見た斜視図である。図３は、図１に示す腕時計の概略断面図である。図４は、図１に示す腕時計が有する内側空間を示す概略平面図である。図５は、図１に示す腕時計が有する収容空間およびセンサーユニットを示す概略断面図である。
【００２０】
なお、以下では、説明の都合上、図３および図５中の上側を「上」、「上方」または「表側」、下側を「下」、「下方」または「裏側」と言う。
【００２１】
また、図１〜図５では、説明の便宜上、互いに直交する３つの軸であるｘ軸、ｙ軸およびｚ軸を矢印で図示しており、その矢印の先端側を「＋（プラス）」、基端側を「−（マイナス）」としている。また、以下では、ｘ軸に平行な方向を「ｘ軸方向」、ｙ軸に平行な方向を「ｙ軸方向」、ｚ軸に平行な方向を「ｚ軸方向」という。また、ｘ軸とｙ軸で規定される平面を「ｘｙ平面」と言い、ｙ軸とｚ軸で規定される平面を「ｙｚ平面」と言い、ｚ軸とｘ軸で規定される平面を「ｚｘ平面」と言う。なお、後述する図９〜図１２、図１４、図１６および図１８についても同様である。
【００２２】
図１、図２および図３に示す腕時計１は、本発明の圧力センサー付きデバイスの一例である。腕時計１は、例えば、時刻情報とともに高度情報等を知ることができる携帯情報端末である。
【００２３】
腕時計１は、筐体２と、筐体２の内部に設けられ、筐体２の外部から例えば空気等の流体が入る内部空間５と、内部空間５内に入った空気の圧力を検出するセンサーユニット３と、を有する。また、内部空間５は、空気が通る流路部６と、流路部６に連通していて、センサーユニット３を収容している収容空間４と、を有する。
【００２４】
また、腕時計１は、図示しない制御部を筐体２の内部に有しており、制御部によって、センサーユニット３で検出した圧力に基づいて高度を求めることができるよう構成されている。
【００２５】
以下、腕時計１を構成する各部について順次説明する。
［筐体２］
筐体２は、環状をなす胴部２１と、胴部２１の裏側の開口を塞ぐようにして胴部２１に取り付けられた板状の裏蓋２２と、胴部２１の表側の内縁部に取り付けられた円環状のベゼル２３と、胴部２１の表側の開口を塞ぐようにしてベゼル２３に保持され、円板状の部材で構成されたカバー部材２４と、胴部２１の側面に設けられた複数のボタン２５と、を有する。また、胴部２１の＋ｙ軸側および−ｙ軸側には、それぞれ、使用者の腕に装着する際に用いるバンド（図示せず）を着脱可能に連結する連結部としてのラグ２１１が設けられている。
【００２６】
この筐体２は、図４に示すように、ｙｚ平面に平行な仮想面である第１平面Ａ１を対称平面としたほぼ対称形状に構成されている。また、筐体２は、ｚｘ平面に平行な仮想面である第２平面Ａ２を対称平面としたほぼ対称形状に構成されている。第１平面Ａ１および第２平面Ａ２は、それぞれ、中心Ｏ１を通り、互いに交差している。特に本実施形態では直交している。なお、第１平面Ａ１は、中心Ｏ１を通り、一対のラグ２１１を結ぶ線分上に位置している。ここで、前記「中心Ｏ１」とは、筐体２の幾何学的な中心を意味しており、筐体２の重さを加味しない筐体２の形状における中心のことを言う。
【００２７】
また、図３に示すように、筐体２は、胴部２１と、裏蓋２２と、ベゼル２３と、カバー部材２４とが互いに組み合わされることにより形成され、各種部品を収容する部品収容空間Ｓを有する。
【００２８】
部品収容空間Ｓには、例えば、時刻情報、高度情報、気圧情報、外気温情報、方位情報、位置情報、斜度情報等の各種情報を必要に応じて表示可能な表示部１０が設けられている。表示部１０は、カバー部材２４の裏側に設けられている。ここで、カバー部材２４は、例えばガラスや樹脂等を含む透過性を有する部材で構成されている。したがって、腕時計１の使用者は、カバー部材２４を介して表示部１０に表示される情報を視認することができる。なお、表示部１０は、例えば、液晶パネルまたは有機エレクトロルミネッセンスパネル等の表示パネルと、表示パネルを駆動する駆動回路とを含んで構成されている。また、使用者は、複数のボタン２５を操作することで、表示部１０に表示される情報を変更することができる。
【００２９】
部品収容空間Ｓ内には、表示部１０の他に、図示はしないが、例えば、電池、回路基板、アンテナ、温度センサー、加速度センサー、ジャイロセンサーおよび磁気センサー等の各種部品が設けられている。回路基板は、例えば、制御部、記憶部、通信部、ＧＰＳ受信部および音出力部等を備える。制御部は、例えばＣＰＵ（Central Processing Unit）等から構成され、センサーユニット３で検出した圧力に基づいて高度等の情報を求める。また、制御部は、各種部品を制御したり、各種部品からの信号を基に各種情報を生成したり、表示部１０に各種情報を表示したりする機能を有する。記憶部は、ＲＯＭ（Read Only Memory）およびＲＡＭ（Random Access Memory）等の記録媒体等により構成される。通信部は、例えばスマートフォンやパーソナルコンピューター等の外部装置と通信を行い、制御部が生成した各種情報を外部装置へ送信する。ＧＰＳ受信部は、ＧＰＳ衛星から送信された衛星信号を受信し、衛星信号に重畳されている軌道情報や時刻情報に基づいて腕時計１の現在位置や時刻情報を算出する。音出力部は、制御部から送られる音情報に基づき筐体２の外部で視聴可能な音声を出力する。
【００３０】
胴部２１、裏蓋２２およびベゼル２３の構成材料としては、特に限定されず、例えば、ステンレス鋼、チタン系合金、金合金などの金属材料や、ポリカーボネート、ＡＢＳなどのプラスチック等を用いることができる。また、胴部２１、裏蓋２２およびベゼル２３の構成材料は、互いに同じであってもよいし、異なっていてもよい。
筐体２が有する裏蓋２２には、内部空間５が形成されている。
【００３１】
以下、内部空間５について説明する。
［内部空間５］
内部空間５は、前述したように、筐体２の外部から空気が導入される空間であり、本実施形態では、図３に示すように、裏蓋２２に形成されている。
【００３２】
図３および図４に示すように、内部空間５は、平面視で、裏蓋２２の中央部に形成された凹部である収容空間４と、収容空間４に連通していて、平面視で収容空間４を中心とした十字状に形成された管状の流路部６と、を有する。また、図３に示すように、流路部６は、裏蓋２２の板面に沿って形成されている。
【００３３】
この内部空間５は、例えば、表側に開口し、収容空間４および流路部６に対応した平面視形状をなす凹部を裏蓋２２に形成し、その凹部の開口を塞ぐように板状の部材２２１を裏蓋２２に接合することにより形成することができる。
【００３４】
（流路部６）
図４に示すように、流路部６は、平面視で直線状をなす管状の流路６１（第１流路）、流路６２（第２流路）、流路６３（第３流路）および流路６４（第４流路）と、流路６１、６２、６３、６４を接続している接続部６０と、を有する。
接続部６０は、平面視で裏蓋２２の中央部に位置し、平面視形状が円形をなす。
【００３５】
流路６１、６２、６３、６４は、それぞれ、接続部６０から裏蓋２２の外周面に向かって延び、一端が接続部６０に開口し、他端が裏蓋２２の外周面に開口している。流路６１は、裏蓋２２の外周面に開口した開口６１１（第１開口）を有し、流路６２は、裏蓋２２の外周面に開口した開口６２１（第２開口）を有し、流路６３は、裏蓋２２の外周面に開口した開口６３１（第３開口）を有し、流路６４は、裏蓋２２の外周面に開口した開口６４１（第４開口）を有している。
【００３６】
流路６１、６２は、平面視で同一直線上に位置している。また、流路６３、６４は、平面視で同一直線上に位置している。それゆえ、流路部６は、流路６１、６２で構成された１つの流路と、流路６３、６４で構成された１つの流路とが互いに直交するように交差し、交点に接続部６０がある構成であるとも言える。
【００３７】
流路６１、６２、６３、６４のそれぞれの長さは、互いに等しい。前記「長さ」は、対応する開口６１１、６２１、６３１、６４１から接続部６０までの距離である。また、流路６１、６２、６３、６４は、互いに、断面視形状が等しい正方形状をなす。また、流路６１、６２、６３、６４は、それぞれ一定の幅および等価直径で構成されており、互いに幅および管内（内側）の等価直径が等しい。そして、流路６１、６２、６３、６４は、互いに、同一流体（例えば空気）における圧力損失が等しい。言い換えれば、本実施形態では、流路６１、６２、６３、６４をそれぞれ同じ断面視形状、長さ、幅および等価直径とすることで、互いに同一流体における圧力損失を等しく構成している。なお、「圧力損失が等しい」とは、同一流体に対する圧力損失が実質的に等しいことを示し、圧力損失の若干の差は許容するものとする。具体的に「圧力損失が等しい」とは、両者の差が±１０％以下程度のことを言う。
【００３８】
このような流路６１、６２、６３、６４は、それぞれ、第１平面Ａ１および第２平面Ａ２上には設けられておらず、第１平面Ａ１および第２平面Ａ２からずれた位置に設けられている。
【００３９】
また、流路６１、６２、６３、６４は、それぞれ、第１平面Ａ１および第２平面Ａ２で筐体２を分割したとき、その分割されたそれぞれの領域２０に対応するように設けられている。開口６１１、６２１、６３１、６４１についても同様である。なお、以下では、図４中の左上側に位置し、流路６１および開口６１１が設けられている領域２０を「第１領域２０ａ」と言い、中心Ｏ１に対して第１領域２０ａに対向し、流路６２および開口６２１が設けられている領域２０を「第２領域２０ｂ」と言い、図４中の左下側に位置し、流路６３および開口６３１が設けられている領域２０を「第３領域２０ｃ」と言い、中心Ｏ１に対して第３領域２０ｃに対向し、流路６４および開口６４１が設けられている領域２０を「第４領域２０ｄ」とも言う。
【００４０】
また、開口６１１と開口６２１とは、中心Ｏ１を介して反対側に位置し、開口６３１と開口６４１とは、中心Ｏ１を介して反対側に位置している。特に、本実施形態では、開口６１１と開口６２１とは、中心Ｏ１に対して対向していて、開口６３１と開口６４１とは、中心Ｏ１に対して対向している。
【００４１】
このような構成の流路部６は、第１平面Ａ１を対称平面とした対称形状をなし、また、第２平面Ａ２を対称平面とした対称形状をなす。
【００４２】
（収容空間４）
図３および図４に示すように、収容空間４は、接続部６０の下方（裏側）に設けられた凹部であり、接続部６０に連通している。また、凹部の開口は、その平面視形状が接続部６０の平面視形状よりも小さく、平面視で接続部６０の中央部に位置している。なお、本実施形態では、収容空間４は、有底の円筒状をなすが、収容空間４の形状はこれに限定されず、例えば角状であってもよい。
【００４３】
以上のような構成の内部空間５では、開口６１１、６２１、６３１、６４１のいずれかの開口から内部空間５に入った風を、入ってきた開口とは異なる開口から筐体２の外部へと通すことができる。
【００４４】
［センサーユニット３］
図５に示すように、センサーユニット３は、収容空間４に設けられていて、パッケージ３１と、パッケージ３１内に設けられた圧力センサー３０と、パッケージ３１内に充填された充填材３２とを有する。
【００４５】
パッケージ３１は、円板状をなす基板３１１と、円筒状をなす壁部３１２とを有する。パッケージ３１は、開口３１３を有し、基板３１１と壁部３１２とが接合されることで形成された空間Ｓ３を有する有底筒状をなす。このパッケージ３１は、開口３１３が収容空間４の開口側を向くように収容空間４に設置されている。
【００４６】
基板３１１は、図示しない配線および端子を有する。この基板３１１には、圧力センサー３０が実装されている。壁部３１２は、外径および内径が大きい大径部と、大径部よりも外径および内径が小さい小径部とを有する。
【００４７】
圧力センサー３０は、収容空間４の圧力、すなわち、センサーユニット３に加わった圧力を検出し、検出した圧力に応じた信号を制御部（図示せず）へと出力する。圧力センサー３０は、例えば、ＭＥＭＳ型圧力センサー等の半導体製造技術を用いて製造された小型な圧力センサーを含んで構成されている。より具体的には、例えば、圧力センサー３０は、図示はしないが、受圧により撓み変形するダイヤフラム部と、ダイヤフラム部の撓みを検出する例えばピエゾ抵抗素子等の歪検出素子と、を備えている。なお、圧力センサー３０は、圧力を検出することが可能であれば上記の構成に限定されない。
【００４８】
充填材３２は、例えば、非圧縮性で、かつ、非水溶性であるシリコンゲル等のゲル状の物質で構成されている。この充填材３２は、圧力センサー３０を保護するとともに、センサーユニット３に加わった圧力を圧力センサー３０に伝搬する。
【００４９】
このようなセンサーユニット３は、収容空間４を構成している凹部の内壁面とパッケージ３１の小径部の外周面との間を密閉するようにして設けられたＯリング等のシール部材４０によって、収容空間４に留置されている。
以上、腕時計１の構成について説明した。
【００５０】
以上説明したような本発明の圧力センサー付きデバイスの一例である腕時計１は、前述したように、圧力センサー３０と、圧力センサー３０を有するセンサーユニット３を収容する収容空間４を有する筐体２と、筐体２の外面（外周面）に設けられた開口６１１（第１開口）を有し、筐体２の外部と収容空間４とを繋ぐ流路６１（第１流路）と、筐体２の外面（外周面）に設けられた開口６２１（第２開口）を有し、筐体２の外部と収容空間４とを繋ぐ流路６２（第２流路）と、を有する。そして、開口６１１と開口６２１とは、筐体２の中心Ｏ１を介して反対側に設けられている。
【００５１】
このような腕時計１によれば、例えば開口６１１付近に風が当たり、開口６１１付近の圧力が高くなり、反対に、開口６２１付近の圧力が開口６１１付近の圧力よりも低くなったとき、開口６１１から流路６１および流路６２を通って開口６２１に風を通すことができる。このようにして、筐体２の内部に入った風を筐体２の外部に通すことができ、空気の淀みを低減できるので、収容空間４の圧力が風の影響で変動することを抑制することができる。そのため、風の影響による圧力の変動を低減することができる。それゆえ、腕時計１によれば、より正確な気圧を測定することができ、よって、使用者は高度をより正確に知ることができる。
なお、開口６２１付近に風が当たった場合にも、開口６２１から流路６２および流路６１を通って開口６１１に風を通すことができるため、上記と同様のことが言える。
【００５２】
さらに、腕時計１では、筐体２の外面（外周面）に設けられた開口６３１（第３開口）を有し、筐体２の外部と収容空間４とを繋ぐ流路６３（第３流路）と、筐体２の外面（外周面）に設けられた開口６４１（第４開口）を有し、筐体２の外部と収容空間４とを繋ぐ流路６４（第４流路）と、を有する。これにより、開口６１１と開口６２１との間に風を通すことに加え、開口６３１と開口６４１との間に風を通すことができる。また、例えば、開口６１１から入った風を、流路６１、６２、６３、６４を通って開口６２１、６３１、６４１へと通すことができる。したがって、腕時計１に対して風が当たっても、開口６１１、６２１、６３１、６４１のいずれかから筐体２の内部に入った風を開口６１１、６２１、６３１、６４１のいずれかから筐体２の外部へと通すことができる。そのため、２つの流路６１、６２を有する構成に比べ、風の影響による圧力の変動をより効果的に低減することができる。
【００５３】
加えて、腕時計１では、筐体２の中心Ｏ１を通る第１平面Ａ１と、筐体２の中心Ｏ１を通り、第１平面Ａ１と交差した第２平面Ａ２とにより分割される４つの領域２０を規定したとき、開口６１１、６２１、６３１、６４１は、それぞれ異なる領域２０内に設けられている。これにより、腕時計１に対して様々な方向から風が当たっても、開口６１１、６２１、６３１、６４１のいずれかの開口から筐体２の内部に入った風を、入ってきた開口とは異なる開口から筐体２の外部へと通すことができる。そのため、風の当たる方向によらず、風の影響による圧力の変動を効果的に低減することができる。
【００５４】
また、前述したように、流路６１、６２、６３、６４は、それぞれ、同一流体に対する圧力損失が等しい。これにより、収容空間４を、風の影響を特に受けにくい領域とすることができる。すなわち、風が当たることで生じる圧力（動圧）の影響を除去または低減することができ、よって、風の影響による圧力の変動を効果的に低減することができる。
【００５５】
なお、本実施形態では、前述したように、流路６１、６２、６３、６４のそれぞれの断面視形状は、正方形に限定されず、正方形以外の四角形や、四角形以外の多角形、円形等であってもよい。また、本実施形態では、流路６１、６２、６３、６４は、それぞれ幅が一定であるが、これらは、幅が一定でなくてもよく、幅が不連続であったり、周期的に変わったりしていてもよい。ただし、風の影響による圧力の変動を効果的に低減するべく、流路６１、６２、６３、６４は、互いに、同一流体における圧力損失が等しく構成されていることが好ましい。
【００５６】
また、前述したように、筐体２は、第１平面Ａ１を介した対称形状であり、また、第２平面Ａ２を介した対称形状である。すなわち、筐体２は、対称平面としての第１平面Ａ１および第２平面Ａ２を有し、対称形状に構成されている。そして、開口６１１および開口６２１は、前述したように、それぞれ、第１平面Ａ１および第２平面Ａ２からずれた位置に設けられている。これにより、例えば、使用者の腕に腕時計１を装着した状態でも、筐体２の外周を回り込む風の影響により、風が当たった箇所とその反対の箇所とで差圧を生じさせ易くなる。そのため、流路部６内に風を通す作用を高めることができ、風の影響による圧力の変動をより効果的に低減することができる。
【００５７】
また、腕時計１では、前述したように、収容空間４が接続部６０の下方に位置している。このように収容空間４を風の通り道となる流路部６から下方に退避した位置に設けることで、風の影響により圧力が変動することをより低減することができる。
【００５８】
以下、腕時計１が、風の当たる方向によらず、風の影響による圧力の変動を低減することができるという効果を発揮できることについて、図６〜図１１を参照しつつ説明する。
【００５９】
図６は、図１に示す腕時計が風を受けたときの圧力の分布を示す図である。図７は、図１に示す腕時計が風を受けたときの圧力の分布を示す図である。図８は、図１に示す腕時計が有するカバー部材およびセンサーユニットにおける圧力を示す図である。図９は、図１に示す腕時計を示す概略側面図である。図１０は、図１に示す腕時計を示す概略側面図である。図１１は、図１に示す腕時計を示す概略上面図である。
【００６０】
まず、図６、図７、図９〜図１１を参照しつつ、腕時計１が風を受けたときの流路部６における圧力の分布について説明する。
【００６１】
図６および図７は、それぞれ、腕時計１に風が当たったときの腕時計１内における圧力の分布を示している。図６は、流路６１、６２における圧力の分布を示し、図７は、流路６３、６４における圧力の分布を示している。
【００６２】
図６および図７は、それぞれ、風速５ｍ／ｓの風が当たった場合の圧力を示しており、風が当たった状態での圧力（総圧）から風が当たっていない状態の圧力（静圧）を引いた圧力、すなわち動圧を示している。
【００６３】
また、図６に示すグラフの横軸は、開口６１１から開口６２１までの位置［ｍ］を示し、０（零）［ｍ］が接続部６０の中心を示し、−（マイナス）側が流路６１を示し、＋（プラス）側が流路６２を示している。一方、図７に示すグラフの横軸は、開口６３１から開口６４１までの位置［ｍ］を示し、０（零）［ｍ］が接続部６０の中心を示し、−（マイナス）側が流路６３を示し、＋（プラス）側が流路６４を示している。
【００６４】
また、図６および図７のそれぞれに示す線分Ｘ１は、図９に示す矢印ｘ１に対応しており、矢印ｘ１方向から腕時計１に風が当たったときの圧力を示している。同様に、線分Ｘ２は、図９に示す矢印ｘ２に対応しており、線分Ｘ３は、図９に示す矢印ｘ３に対応しており、線分Ｘ４は、図９に示す矢印ｘ４に対応しており、線分Ｘ５は、図９に示す矢印ｘ５に対応しており、線分Ｘ６は、図１０に示す矢印ｘ６に対応しており、線分Ｘ７は、図１０に示す矢印ｘ７に対応しており、線分Ｘ８は、図１１に示す矢印ｘ８に対応しており、線分Ｘ９は、図１１に示す矢印ｘ９に対応しており、線分Ｘ１０は、図９に示す矢印ｘ１０に対応している。
【００６５】
また、図６および図７に示すグラフは、図９〜図１１に示すように、腕時計１にバンドＢを用いて使用者の腕Ｈに取り付けた状態を想定して検討した結果を示している。
【００６６】
図６および図７に示す線分Ｘ１〜Ｘ１０を見て分かるように、図９、図１０または図１１に示す矢印ｘ１〜ｘ１０のいずれの方向から腕時計１に風が当たっても、接続部６０で圧力０（零）［Ｐａ］またはそれに近い圧力、すなわち静圧またはそれに近い圧力が得られている。すなわち、動圧の影響を除去または低減することができていることが分かる。
【００６７】
例えば、図１１に示す矢印ｘ９のように、開口６１１付近に向かって風が当たると、図６および図７に示す線分Ｘ９のように、開口６１１付近の圧力が高くなり、開口６２１、６３１、６４１付近の圧力が低くなる。このように差圧が生じることで、開口６１１から開口６２１、６３１、６４１に風を通すことができる。そして、接続部６０で静圧に近い圧力が得られる。
【００６８】
また、例えば、図９に示す矢印ｘ２のように、開口６２１および開口６４１の間の箇所に向かってカバー部材２４の板面に対して斜めに風が当たると、図６および図７に示す線分Ｘ２のように、開口６２１および開口６４１付近の圧力が高くなり、開口６１１および開口６３１付近の圧力が低くなり、接続部６０付近の圧力が静圧に近くなる。
【００６９】
また、例えば、図９に示す矢印ｘ３のように、カバー部材２４に向かって真上側から風が当たると、図６および図７に示す線分Ｘ３のように、開口６１１、６２１、６３１、６４１間に圧力差が生じず、接続部６０および流路６１、６２、６３、６４で静圧に近い圧力が得られる。
【００７０】
このように、腕時計１によれば、矢印ｘ１〜ｘ１０のいずれの方向から風が当たっても、接続部６０において静圧に近い圧力を得ることができることが分かる。
【００７１】
次に、図８〜図１１を参照しつつ、腕時計１に風が当たったときのカバー部材２４における圧力と、センサーユニット３における圧力について説明する。
【００７２】
図８に示す棒グラフＧは、カバー部材２４の表面における圧力を示し、棒グラフＣ１は、センサーユニット３の充填材３２の表面における圧力を示している。また、図８も、前述したことと同様に、風速５ｍ／ｓの風が当たったときの動圧を示している。また、図８に示すＸ１〜Ｘ９も、それぞれ、前述したことと同様に、図９〜図１１に示す矢印ｘ１〜ｘ９に対応している。
【００７３】
図９、図１０または図１１に示す矢印ｘ１〜ｘ９のいずれの方向から腕時計１に風が当たっても、図８に示すように、センサーユニット３における圧力を静圧に近い圧力とすることができることが分かる。すなわち、動圧の影響を除去または低減することができていることが分かる。
【００７４】
特に、矢印ｘ２、ｘ３、ｘ４、ｘ７のように、カバー部材２４の上方から風が当たることによりカバー部材２４における圧力が高くなっても、筐体２内における動圧が低減されている。このことから、腕時計１によれば、風の影響による圧力の変動を低減することができることが分かる。
【００７５】
以上、本発明の圧力センサー付きデバイスの一例としての腕時計１について説明した。以上説明したように、本実施形態では、本発明の圧力センサー付きデバイスの一例として、筐体２に設けられ、時刻情報を表示する表示部１０を有する腕時計１を例に説明した。腕時計１は使用者の腕に装着しても用いられ、使用者が腕を振ることにより風の影響を受けやすい。そのため、本発明の圧力センサー付きデバイスを風の影響を特に受けやすい腕時計１として用いることは、より正確な圧力を測定する上で特に有効である。
【００７６】
＜第２実施形態＞
次に、本発明の第２実施形態について説明する。
【００７７】
図１２は、本発明の第２実施形態に係る圧力センサー付きデバイスの一例である腕時計の概略平面図である。図１３は、図１２に示す腕時計が風を受けたときのセンサーユニットにおける圧力を示す図である。
【００７８】
本実施形態に係る圧力センサー付きデバイスの一例である腕時計は、内部空間の構成が異なること以外は、前述した第１実施形態と同様である。
【００７９】
なお、以下の説明では、第２実施形態に関し、前述した実施形態との相違点を中心に説明し、同様の事項に関してはその説明を省略する。また、図１２および図１３では、それぞれ、前述した実施形態と同様の構成について、同一符号を付している。
【００８０】
図１２に示す腕時計１Ａが有する筐体２Ａの裏蓋２２Ａに形成された内部空間５Ａは、流路部６Ａおよび収容空間４Ａを有し、収容空間４Ａが平面視で裏蓋２２Ａの縁部側に設けられている。
【００８１】
（流路部６Ａ）
流路部６Ａは、流路６１Ａ（第１流路）、流路６２Ａ（第２流路）、流路６３Ａ（第３流路）および流路６４Ａ（第４流路）と、接続部６０Ａとを有する。接続部６０Ａは、平面視で裏蓋２２Ａの縁部側、本実施形態では図示のように、中心Ｏ１よりも＋ｙ軸側に設けられている。
【００８２】
流路６１Ａの長さは流路６２Ａの長さよりも長く、また、流路６３Ａの長さは流路６４Ａの長さよりも長い。また、流路６１Ａの長さおよび流路６３Ａの長さは互いに等しく、流路６２Ａの長さおよび流路６４Ａの長さは互いに等しい。
【００８３】
また、流路６１Ａの幅は、流路６２Ａの幅よりも大きく、また、流路６３Ａの幅は流路６４Ａの幅よりも大きい。また、流路６１Ａの幅および流路６３Ａの幅は互いに等しく、流路６２Ａの幅および流路６４Ａの幅は互いに等しい。また、流路６１Ａ、６２Ａ、６３Ａ、６４Ａの各管内（内側）の等価直径は、流路６１Ａ、６２Ａ、６３Ａ、６４Ａのそれぞれの幅の関係と同様の関係を満たす。
【００８４】
このように、本実施形態では、流路６１Ａ、６３Ａのそれぞれの長さは、流路６２Ａ、６４Ａのそれぞれの長さよりも長く、流路６１Ａ、６３Ａのそれぞれの幅は、流路６２Ａ、６４Ａのそれぞれの幅よりも大きい。このように流路６１Ａ、６２Ａ、６３Ａ、６４Ａのそれぞれの幅および長さを調整することで、流路６１Ａ、６２Ａ、６３Ａ、６４Ａのそれぞれの圧力損失を等しくしつつ、接続部６０Ａを裏蓋２２Ａの縁部側に配置することができる。これにより、第１実施形態と同様に、接続部６０Ａに連通している収容空間４Ａを、風の影響を特に受けにくい領域とすることができる。
【００８５】
（収容空間４Ａ）
収容空間４Ａは、接続部６０Ａの下方（裏側）に位置し、前述したように、平面視で裏蓋２２Ａの縁部側、本実施形態では図示にように、中心Ｏ１よりも＋ｙ軸側に設けられている。このように、収容空間４Ａが、筐体２Ａの中心Ｏ１からずれた位置に設けられていることで、収容空間４Ａによって各種部品の配置が制約されることを回避できる。このため、各種部品の配置の自由度を高めることができる。
【００８６】
このような構成の腕時計１Ａによっても、図１３に示すように、第１実施形態と同様に、風の当たる方向によらず、風の影響による圧力の変動を低減することができる。
【００８７】
図１３に示す棒グラフＣ１は、第１実施形態の腕時計１のセンサーユニット３における圧力を示し、棒グラフＣ２は、本実施形態の腕時計１Ａのセンサーユニット３における圧力を示している。
【００８８】
図９、図１０または図１１に示す矢印ｘ１〜ｘ９のいずれの方向から腕時計１Ａに風が当たっても、図１３に示すように、センサーユニット３における圧力を静圧に近い圧力とすることができる。また、本実施形態の腕時計１Ａによっても、第１実施形態の腕時計１とほぼ同等の圧力であることが分かる。したがって、腕時計１Ａによっても、第１実施形態と同様に、風の影響による圧力の変動を低減することができることが分かる。
【００８９】
＜第３実施形態＞
次に、本発明の第３実施形態について説明する。
【００９０】
図１４は、本発明の第３実施形態に係る圧力センサー付きデバイスの一例である腕時計の概略平面図である。図１５は、図１４に示す腕時計が風を受けたときのセンサーユニットにおける圧力を示す図である。
【００９１】
本実施形態に係る圧力センサー付きデバイスの一例である腕時計は、流路部の構成が異なること以外は、前述した第２実施形態と同様である。
【００９２】
なお、以下の説明では、第３実施形態に関し、前述した実施形態との相違点を中心に説明し、同様の事項に関してはその説明を省略する。また、図１４および図１５では、それぞれ、前述した実施形態と同様の構成について、同一符号を付している。
【００９３】
図１４に示す腕時計１Ｂが有する筐体２Ｂの裏蓋２２Ｂに形成された内部空間５Ｂは、流路部６Ｂおよび収容空間４Ｂを有し、流路部６Ｂが裏蓋２２Ｂの縁部側に設けられている。
【００９４】
（流路部６Ｂ）
流路部６Ｂは、流路６１Ｂ（第１流路）、流路６２Ｂ（第２流路）、流路６３Ｂ（第３流路）および流路６４Ｂ（第４流路）と、接続部６０Ｂとを有する。
流路部６Ｂが有する流路６１Ｂ、６３Ｂは、それぞれ、平面視で曲線状をなし、裏蓋２２Ｂの外周に沿って形成されている。
【００９５】
また、第２実施形態と同様に、流路６１Ｂ、６３Ｂのそれぞれの長さは、流路６２Ｂ、６４Ｂのそれぞれの長さよりも長く、流路６１Ｂ、６３Ｂのそれぞれの幅は、流路６２Ｂ、６４Ｂのそれぞれの幅よりも大きい。このように流路６１Ｂ、６２Ｂ、６３Ｂ、６４Ｂのそれぞれの幅および長さを調整することで、流路６１Ｂ、６２Ｂ、６３Ｂ、６４Ｂのそれぞれの同一流体における圧力損失を等しくすることができるとともに、流路６１Ｂ、６２Ｂ、６３Ｂ、６４Ｂおよび接続部６０Ｂを裏蓋２２Ｂの縁部側に設けることができる。これにより、接続部６０Ｂに連通している収容空間４Ｂを、風の影響を特に受けにくい領域とすることができるとともに、各種部品の配置の自由度を高めることができる。
【００９６】
特に、前述したように、流路６１Ｂ、６３Ｂは、それぞれ、裏蓋２２Ｂの外周、すなわち筐体２Ｂの外面（外周面）に沿った部分を有する。このため、各種部品の配置の自由度をより高めることができ、例えば、各種部品を筐体２Ｂの中心Ｏ１付近に配置することができる。
【００９７】
なお、本実施形態では、流路６１Ｂ、６３Ｂが筐体２Ｂの外周面に沿った部分を有する構成であったが、流路６２Ｂ、６４Ｂも筐体２Ｂの外周面に沿った部分を有する構成であってもよい。
【００９８】
このような構成の腕時計１Ｂによっても、図１５に示すように、第１実施形態と同様に、風の当たる方向によらず、風の影響による圧力の変動を低減することができる。
【００９９】
図１５に示す棒グラフＣ１は、第１実施形態の腕時計１のセンサーユニット３における圧力を示し、棒グラフＣ３は、本実施形態の腕時計１Ｂのセンサーユニット３における圧力を示している。
【０１００】
図９、図１０または図１１に示す矢印ｘ１〜ｘ９のいずれの方向から腕時計１Ｂに風が当たっても、図１５に示すように、センサーユニット３における圧力を静圧に近い圧力とすることができる。また、本実施形態の腕時計１Ｂによっても、第１実施形態の腕時計１とほぼ同等の圧力であることが分かる。したがって、腕時計１Ｂによっても、第１実施形態と同様に、風の影響により圧力の変動を低減することができることが分かる。
【０１０１】
＜第４実施形態＞
次に、本発明の第４実施形態について説明する。
【０１０２】
図１６は、本発明の第４実施形態に係る圧力センサー付きデバイスの一例である腕時計の概略平面図である。図１７は、図１６に示す腕時計が風を受けたときのセンサーユニットにおける圧力を示す図である。
【０１０３】
本実施形態に係る圧力センサー付きデバイスの一例である腕時計は、流路部の構成が異なること以外は、前述した第１実施形態と同様である。
【０１０４】
なお、以下の説明では、第４実施形態に関し、前述した実施形態との相違点を中心に説明し、同様の事項に関してはその説明を省略する。また、図１６および図１７では、それぞれ、前述した実施形態と同様の構成について、同一符号を付している。
【０１０５】
図１６に示す腕時計１Ｃが有する筐体２Ｃの裏蓋２２Ｃに形成された内部空間５Ｃは、流路部６Ｃおよび収容空間４Ｃを有し、流路部６Ｃが有する流路６１Ｃ、６２Ｃ、６３Ｃ、６４Ｃのそれぞれの位置が、第１実施形態における流路６１、６２、６３、６４と相違する。
【０１０６】
（流路部６Ｃ）
流路部６Ｃは、開口６１１Ｃ（第１開口）を有する流路６１Ｃ（第１流路）、開口６２１Ｃ（第２開口）を有する流路６２Ｃ（第２流路）、開口６３１Ｃ（第３開口）を有する流路６３Ｃ（第３流路）および開口６４１Ｃ（第４開口）を有する流路６４Ｃ（第４流路）と、接続部６０とを有する。
【０１０７】
本実施形態では、流路６１Ｃ、６２Ｃ、６３Ｃ、６４Ｃは、それぞれ、平面視で、第１実施形態において対応する流路６１、６２、６３、６４から、中心Ｏ１を通りｚ軸方向に平行な線分を中心軸として図１６中において反時計周りに約３０°回転させた位置に設けられている。開口６１１Ｃ、６２１Ｃ、６３１Ｃ、６４１Ｃも同様に、それぞれ、平面視で、第１実施形態において対応する開口６１１、６２１、６３１、６４１から、中心Ｏ１を通りｚ軸方向に平行な線分を中心軸として図１６中において反時計周りに約３０°回転させた位置に設けられている。
【０１０８】
なお、本実施形態においても、流路６１Ｃ、６２Ｃ、６３Ｃ、６４Ｃのそれぞれの幅および長さを調整することで、流路６１Ｃ、６２Ｃ、６３Ｃ、６４Ｃのそれぞれの同一流体における圧力損失を等しくしている。
【０１０９】
このような構成の流路部６Ｃは、対称平面である第１平面Ａ１を介して非対称な形状をなし、対称平面である第２平面Ａ２を介して非対称な形状をなす。これにより、風の当たる方向によらず、風の影響による圧力の変動をさらに低減することができる。
【０１１０】
このような構成の腕時計１Ｃによれば、図１７に示すように、第１実施形態と同様に、風の当たる方向によらず風の影響による圧力の変動を低減することができる。
【０１１１】
図１７に示す棒グラフＣ１は、第１実施形態の腕時計１のセンサーユニット３における圧力を示し、棒グラフＣ４は、本実施形態の腕時計１Ｃのセンサーユニット３における圧力を示している。
【０１１２】
図９、図１０または図１１に示す矢印ｘ１〜ｘ９のいずれの方向から腕時計１Ｃに風が当たっても、図１７に示すように、センサーユニット３における圧力を静圧に近い圧力とすることができる。また、本実施形態の腕時計１Ｃによっても、第１実施形態の腕時計１とほぼ同等の圧力であることが分かる。特に、矢印ｘ２、ｘ４の方向からの風に対して、第１実施形態の腕時計１では風の影響を受けやすかったが、本実施形態における腕時計１Ｃによれば、これらの方向からの風の影響による圧力の変動を低減することができる。
【０１１３】
＜第５実施形態＞
次に、本発明の第５実施形態について説明する。
【０１１４】
図１８は、本発明の第５実施形態に係る圧力センサー付きデバイスの一例である腕時計の概略平面図である。図１９は、図１８に示す腕時計が風を受けたときのセンサーユニットにおける圧力を示す図である。
【０１１５】
本実施形態に係る圧力センサー付きデバイスの一例である腕時計は、内部空間の構成が異なること以外は、前述した第４実施形態と同様である。
【０１１６】
なお、以下の説明では、第５実施形態に関し、前述した実施形態との相違点を中心に説明し、同様の事項に関してはその説明を省略する。また、図１８および図１９では、それぞれ、前述した実施形態と同様の構成について、同一符号を付している。
【０１１７】
図１８に示す腕時計１Ｄが有する筐体２Ｄの裏蓋２２Ｄに形成された内部空間５Ｄは、流路部６Ｄおよび収容空間４Ｄを有し、流路部６Ｄが裏蓋２２Ｄの縁部側に設けられている。
【０１１８】
（流路部６Ｄ）
流路部６Ｄは、開口６１１Ｄ（第１開口）を有する流路６１Ｄ（第１流路）、開口６２１Ｄ（第２開口）を有する流路６２Ｄ（第２流路）、開口６３１Ｄ（第３開口）を有する流路６３Ｄ（第３流路）および開口６４１Ｄ（第４開口）を有する流路６４Ｄ（第４流路）と、接続部６０Ｄとを有する。
【０１１９】
流路部６Ｄが有する流路６１Ｄ、６２Ｄ、６３Ｄ、６４Ｄは、それぞれ、平面視で曲線状をなす。また、流路６１Ｄ、６３Ｄは、裏蓋２２Ｄの外周に沿って形成されている。
また、接続部６０Ｄは、裏蓋２２Ｄの縁部側、本実施形態では図示のように、中心Ｏ１よりも＋ｙ軸側に設けられている。
【０１２０】
また、本実施形態においても、第４実施形態と同様に、開口６１１Ｄ、６２１Ｄ、６３１Ｄ、６４１Ｄは、それぞれ、平面視で、第１実施形態において対応する開口６１１、６２１、６３１、６４１から、中心Ｏ１を通りｚ軸方向に平行な線分を中心軸として図１８中において反時計周りに約３０°回転させた位置に設けられている。また、本実施形態においても、流路６１Ｄ、６２Ｄ、６３Ｄ、６４Ｄのそれぞれの幅および長さを調整することで、流路６１Ｄ、６２Ｄ、６３Ｄ、６４Ｄのそれぞれの同一流体における圧力損失を等しくしている。そして、流路部６Ｄは、対称平面である第１平面Ａ１を介して非対称な形状をなし、対称平面である第２平面Ａ２を介して非対称な形状をなす。これにより、風の当たる方向によらず、風の影響による圧力の変動をさらに低減することができる。
【０１２１】
（収容空間４Ｄ）
収容空間４Ｄは、平面視で裏蓋２２Ｄの縁部側、本実施形態では図示にように、中心Ｏ１よりも＋ｙ軸側に設けられている。
【０１２２】
また、前述したように、流路６１Ｄ、６２Ｄ、６３Ｄ、６４Ｄ、接続部６０Ｄおよび収容空間４Ｄが裏蓋２２Ｄの縁部側に設けられているため、各種部品の配置の自由度を高めることができ、例えば各種部品を筐体２Ｄの中心Ｏ１付近に配置することができる。
【０１２３】
このような構成の腕時計１Ｄによれば、図１９に示すように、第１実施形態と同様に、風の当たる方向によらず風の影響による圧力の変動を低減することができる。
【０１２４】
図１９に示す棒グラフＣ１は、第１実施形態の腕時計１のセンサーユニット３における圧力を示し、棒グラフＣ５は、本実施形態の腕時計１Ｄのセンサーユニット３における圧力を示している。
【０１２５】
図９、図１０または図１１に示す矢印ｘ１〜ｘ９のいずれの方向から腕時計１Ｄに風が当たっても、図１９に示すように、センサーユニット３における圧力を静圧に近い圧力とすることができる。また、本実施形態の腕時計１Ｄによっても、第１実施形態の腕時計１とほぼ同等の圧力であることが分かる。特に、矢印ｘ２、ｘ４の方向からの風に対して、第１実施形態の腕時計１では風の影響を受けやすかったが、本実施形態における腕時計１Ｄによれば、これらの方向からの風の影響による圧力の変動を低減することができる。
【０１２６】
以上、本発明の圧力センサー付きデバイスを、図示の実施形態に基づいて説明したが、本発明はこれに限定されるものではなく、各部の構成は、同様の機能を有する任意の構成のものに置換することができる。また、他の任意の構成物が付加されていてもよい。また、本発明は、前記各実施形態のうちの、任意の２以上の構成を組み合わせたものであってもよい。
【０１２７】
また、前述した実施形態では、本発明の圧力センサー付きデバイスとして腕時計を例に説明したが、本発明の圧力センサー付きデバイスは、腕時計に限定されない。例えば、本発明の圧力センサー付きデバイスは、時刻情報を表示する表示部等を備えておらず、圧力のみを知ることができる圧力計であってもよい。また、本発明の圧力センサー付きデバイスは、流路部に侵入する流体が例えば水等の液体であり、その液体の圧力を基に水深を知ることができる水深計であってもよい。また、本発明の圧力センサー付きデバイスは、例えば、スマートフォン、タブレット端末、パーソナルコンピューター、ＨＭＤ（ヘッドマウントディスプレイ）等のウェアラブル端末、ビデオカメラ、カーナビゲーション装置、電子ゲーム機器、産業用ロボット等のロボット、ドローン等の無人航空機、車や飛行機等の移動機器等に適用することができる。
【０１２８】
また、前述した実施形態では、筐体の裏蓋に収容空間および流路部が設けられていたが、これらは、いかなる箇所に設けられていてもよく、例えば、胴部や筐体内に設けられた部材（図示せず）等に設けられていてもよい。
【０１２９】
また、前述した実施形態では、流路部は、裏蓋の板面に沿って、すなわち、筐体の厚さ方向に直交する方向に沿って設けられていたが、流路部は、筐体の厚さ方向に直交する方向に沿って設けられていなくてもよい。例えば、筐体の構成によっては、第１開口が裏蓋の外周面に設けられ、第２開口が胴部の外周面に設けられ、これらを繋ぐ線分上に設けられた部材（図示せず）に、第１流路、接続部および第２流路が設けられていてもよい。
【０１３０】
また、前述した実施形態では、流路部は４つの流路を有していたが、流路の数はこれに限定されず、３つでも、５つ以上であってもよい。
【符号の説明】
【０１３１】
１…腕時計、１Ａ…腕時計、１Ｂ…腕時計、１Ｃ…腕時計、１Ｄ…腕時計、２…筐体、２Ａ…筐体、２Ｂ…筐体、２Ｃ…筐体、２Ｄ…筐体、３…センサーユニット、４…収容空間、４Ａ…収容空間、４Ｂ…収容空間、４Ｃ…収容空間、４Ｄ…収容空間、５…内部空間、５Ａ…内部空間、５Ｂ…内部空間、５Ｃ…内部空間、５Ｄ…内部空間、６…流路部、６Ａ…流路部、６Ｂ…流路部、６Ｃ…流路部、６Ｄ…流路部、１０…表示部、２０…領域、２０ａ…第１領域、２０ｂ…第２領域、２０ｃ…第３領域、２０ｄ…第４領域、２１…胴部、２２…裏蓋、２２Ａ…裏蓋、２２Ｂ…裏蓋、２２Ｃ…裏蓋、２２Ｄ…裏蓋、２３…ベゼル、２４…カバー部材、２５…ボタン、３０…圧力センサー、３１…パッケージ、３２…充填材、４０…シール部材、６０…接続部、６０Ａ…接続部、６０Ｂ…接続部、６０Ｄ…接続部、６１…流路、６１Ａ…流路、６１Ｂ…流路、６１Ｃ…流路、６１Ｄ…流路、６２…流路、６２Ａ…流路、６２Ｂ…流路、６２Ｃ…流路、６２Ｄ…流路、６３…流路、６３Ａ…流路、６３Ｂ…流路、６３Ｃ…流路、６３Ｄ…流路、６４…流路、６４Ａ…流路、６４Ｂ…流路、６４Ｃ…流路、６４Ｄ…流路、２１１…ラグ、２２１…部材、３１１…基板、３１２…壁部、３１３…開口、６１１…開口、６１１Ｃ…開口、６１１Ｄ…開口、６２１…開口、６２１Ｃ…開口、６２１Ｄ…開口、６３１…開口、６３１Ｃ…開口、６３１Ｄ…開口、６４１…開口、６４１Ｃ…開口、６４１Ｄ…開口、Ａ１…第１平面、Ａ２…第２平面、Ｂ…バンド、Ｃ１…棒グラフ、Ｃ２…棒グラフ、Ｃ３…棒グラフ、Ｃ４…棒グラフ、Ｃ５…棒グラフ、Ｇ…棒グラフ、Ｈ…腕、Ｏ１…中心、Ｓ…部品収容空間、Ｓ３…空間、Ｘ１…線分、Ｘ１０…線分、Ｘ２…線分、Ｘ３…線分、Ｘ４…線分、Ｘ５…線分、Ｘ６…線分、Ｘ７…線分、Ｘ８…線分、Ｘ９…線分、ｘ１…矢印、ｘ１０…矢印、ｘ２…矢印、ｘ３…矢印、ｘ４…矢印、ｘ５…矢印、ｘ６…矢印、ｘ７…矢印、ｘ８…矢印、ｘ９…矢印
【図１】
2017173016.tif 000003
【図２】
2017173016.tif 000004
【図３】
2017173016.tif 000005
【図４】
2017173016.tif 000006
【図５】
2017173016.tif 000007
【図６】
2017173016.tif 000008
【図７】
2017173016.tif 000009
【図８】
2017173016.tif 000010
【図９】
2017173016.tif 000011
【図１０】
2017173016.tif 000012
【図１１】
2017173016.tif 000013
【図１２】
2017173016.tif 000014
【図１３】
2017173016.tif 000015
【図１４】
2017173016.tif 000016
【図１５】
2017173016.tif 000017
【図１６】
2017173016.tif 000018
【図１７】
2017173016.tif 000019
【図１８】
2017173016.tif 000020
【図１９】
2017173016.tif 000021